(57)【要約】【課題】ネジ止め作業量の軽減化、及び組み付け時の位置合せ作業の軽減化が図られ、組み立て作業を簡素化することができる太陽電池モジュールを得ること。【解決手段】太陽電池モジュールは、複数の太陽電池セルが併設された太陽電池パネルと、太陽電池パネルの四辺周縁部を囲むフレーム２とを備えている。フレーム２は、太陽電池パネルの四辺分の長さを有する長尺部材を太陽電池パネルの四辺に合わせて折り曲げて作製されている。フレーム２は、前記太陽電池パネルの四辺周縁部を保護する保護部材として機能し、太陽電池パネルの荷重を支えるパネル支持構造が、太陽電池パネルの裏面に別に設けられている。【選択図】        図４
2010165750.tif 000002
【特許請求の範囲】
【請求項１】
複数の太陽電池セルが併設された太陽電池パネルと、
前記太陽電池パネルの四辺周縁部を囲むフレームとを、備え、
前記フレームは、前記太陽電池パネルの四辺分の長さを有する長尺部材を当該太陽電池パネルの四辺に合わせて折り曲げて作製されている
ことを特徴とする太陽電池モジュール。
【請求項２】
複数の太陽電池セルが併設された太陽電池パネルと、
前記太陽電池パネルの四辺周縁部を囲むフレームとを、備え、
前記フレームは、前記太陽電池パネルの四辺分のフレーム部がモールド成型により一体に連結して作製されている
ことを特徴とする太陽電池モジュール。
【請求項３】
前記フレームは、前記太陽電池パネルの四辺周縁部を保護する保護部材として機能し、  前記太陽電池パネルの荷重を支えるパネル支持構造が、前記太陽電池パネルの裏面に設けられている
ことを特徴とする請求項１または２に記載の太陽電池モジュール。
【請求項４】
本体枠、前面枠及び裏面枠から成り前記太陽電池パネルの周縁部を囲繞する断面コ字状の囲繞部を含んで、前記フレームが構成されており、
前記フレームは、前記囲繞部内にて前記本体枠と前記太陽電池パネルとの間及び前記裏面枠と前記太陽電池パネルとの間に挟まれて形成された接着層にて前記太陽電池パネルの周縁部に固着されている
ことを特徴とする請求項３記載の太陽電池モジュール。
【請求項５】
前記パネル支持構造は、前記太陽電池パネルの裏面にて第１の方向に前記太陽電池パネルのほぼ全長にわたって延在し、前記第１の方向と直交する第２の方向に所定の間隔を空けて併設された複数本のリブである
ことを特徴とする請求項３に記載の太陽電池モジュール。
【請求項６】
前記リブは断面形状において、少なくともコ字状となる部分を有する
ことを特徴とする請求項５に記載の太陽電池モジュール。
【請求項７】
前記フレームは、板金が折り曲げられて作製されている
ことを特徴とする請求項１、３から６のいずれか１項に記載の太陽電池モジュール。
【発明の詳細な説明】
【技術分野】
【０００１】
この発明は、複数の太陽電池セルが併設された太陽電池パネルと、この太陽電池パネルの四辺周縁部を囲むフレームとを備えた太陽電池モジュールのフレーム構造に関するものである。
【背景技術】
【０００２】
従来の太陽電池モジュールでは、セル、配線を形成し、バックシートで素子面を保護するバックシートを貼着したガラス基板の周縁部を金属箔や樹脂で封止すると共に、アルミ製のフレームで囲って湿気の浸入を防止する構造が知られている。
【０００３】
例えば、太陽電池パネルの周縁部に、略コ字状断面開口部を持つフレームを嵌め込んで固定する。さらには、隣接するフレーム相互をフレーム端部で固定金具を用いて連結する構造が提案されている（例えば、特許文献１参照）。
【０００４】
また、フレームレス太陽電池モジュールとその施工方法として、太陽電池モジュールの外縁部裏面をマジックファスナ等の接着手段で架台に固定し、隣り合うフレームレス太陽電池モジュール間を断面Ｈ型状のカバー部材で保護する構造が提案されている（例えば、特許文献２参照）。
【０００５】
さらに、設置固定作業を容易にするため、受光面と反対側面に金属補強板を設け、これに支持部材を取り付けた太陽電池モジュールの構造が提案されている（例えば、特許文献３参照）。
【０００６】
【特許文献１】特開２００２−３１４１１３号公報（１頁、図１）
【特許文献２】特開平１０−２３１６００号公報（図１）
【特許文献３】特開平１０−５４１１８号公報（図１）
【発明の開示】
【発明が解決しようとする課題】
【０００７】
上記のような太陽電池モジュールにあっては、太陽電池パネルのフレームからの脱落を防止する目的で、太陽電池パネルのフレームに挿入する部分を大きくしている。その結果、太陽電池モジュール受光面の周辺部領域において、フレームへの挿入により遮光されることで受光面積が減少し発電効率が低下するという問題があった。
【０００８】
また、フレームレス構造であっても、架台への取り付けに際して太陽電池モジュール外周部をフレームで囲う方式をとると、脱落防止のためにフレームを嵌め込む場合と同様の受光無効領域が必要となるという問題があった。
【０００９】
さらに、三つ目の例のような裏面で固定する方式のものにおいては、太陽電池モジュール自体を金属補強板で補強するので、コストアップになるという問題があった。
【００１０】
この発明は、上記のような問題点を解決するためになされたものであり、フレームから太陽電池パネルを脱落させようとする力が作用しない構造とするとともに、フレームには、太陽電池パネルの外縁部が搬送、設営時に破損することを防止する保護機能のみを有すようにし、太陽電池モジュールの受光面と反対側面に接着したリブ（支持部材）を別途設けて架台等に取り付けられるようにし、さらに発電効率の低下につながる太陽電池モジュール受光面のフレームによる遮光領域を少なくする、フレーム付きリブ支持構造の太陽電池モジュールを得ることを目的としている。
【課題を解決するための手段】
【００１１】
上述した課題を解決し、目的を達成するために、この発明に係る太陽電池モジュールは、複数の太陽電池セルが併設された太陽電池パネルと、太陽電池パネルの四辺周縁部を囲むフレームとを、備え、フレームは、太陽電池パネルの四辺分の長さを有する長尺部材を太陽電池パネルの四辺に合わせて折り曲げて作製されていることを特徴とする。
【００１２】
また、この発明に係る他の太陽電池モジュールは、複数の太陽電池セルが併設された太陽電池パネルと、太陽電池パネルの四辺周縁部を囲むフレームとを、備え、フレームは、太陽電池パネルの四辺分のフレーム部がモールド成型により一体に連結して作製されていることを特徴とする。
【００１３】
さらにまた、フレームは、太陽電池パネルの四辺周縁部を保護する保護部材として機能し、太陽電池パネルの荷重を支えるパネル支持構造が、太陽電池パネルの裏面に設けられていることを特徴とする。
【発明の効果】
【００１４】
この発明によれば、フレームは、太陽電池パネルの四辺分の長さを有する長尺部材を太陽電池パネルの四辺に合わせて折り曲げて作製されているので、フレームの連結箇所が従来の４箇所から１箇所に削減される。これにより、ネジ止め作業量の軽減化、及び組み付け時の位置合せ作業の軽減化が図られ、組み立て作業を簡素化することができる。
【００１５】
また、この発明によれば、フレームは、太陽電池パネルの四辺分のフレーム部がモールド成型により一体に連結して作製されているので、フレームの連結箇所が従来の４箇所から１箇所に削減され、ネジ止め作業量の軽減化、及び組み付け時の位置合せ作業の軽減化が図られ、組み立て作業を簡素化することができるとともに、フレームの材料として高分子材料を用いると太陽電池モジュールの軽量化を図ることもできる。
【００１６】
さらに、この発明によれば、フレームは、太陽電池パネルの四辺周縁部を保護する保護部材として機能し、太陽電池パネルの荷重を支えるパネル支持構造としてリブが太陽電池パネルの裏面に設けられている。裏面に配置したパネル支持構造で太陽電池パネルの荷重を支えることで、太陽電池パネルの四辺周縁部を囲むフレームに積雪時の荷重や風圧が作用することがなく、このためフレームが強固なものである必要がなくなり、フレームを狭小なものとすることができる。これにより、太陽電池セルの受光面を遮蔽する部分を減少させて高効率化を図ることができる。また、フレームを一体構造とすることができたので、取付け位置精度が向上して組み付け作業を効率化できる。
【発明を実施するための最良の形態】
【００１７】
実施の形態１．
図１は本発明の実施の形態１に係る太陽電池モジュールの受光面側からみた斜視図である。図２は本発明の実施の形態１に係る太陽電池モジュールの裏面側からみた斜視図である。図３は太陽電池パネルの積層構造を説明するための分解斜視図である。
【００１８】
本実施の形態の太陽電池モジュール１００は、複数の太陽電池セルを併設された平板状の太陽電池パネル１と、太陽電池パネル１の四辺周縁部を囲むフレーム２とを備えている。さらに、太陽電池パネル１は、ガラスなどの基材上に複数の太陽電池素子が形成されて太陽電池セルを構成する透光性基板１１と、この透光性基板１１の裏面に粘着層１２を介して貼り合わされたバックシート１３とから構成されている。粘着層１２は、ＥＶＡ（エチレンビニルアセテート）樹脂などの粘着剤を塗布して形成したものである。バックシート１３は、ＰＥＴ（ポリエチレン・テレフタレート）などのフィルムやアルミ箔などの低透湿で耐候性のあるシートであり、太陽電池パネル１の裏面を保護する。
【００１９】
透光性基板１１上に形成された複数の太陽電池セルが、直列／並列に接続されて太陽電池セル群（図示せず）を構成している。太陽電池パネル１の裏面には、この太陽電池セル群から出力を取り出すために、太陽電池セル上もしくはその近傍に取出し電極として、正負両極となる２つのバスバー配線１４が形成されている。
【００２０】
さらに、この２つのバスバー配線１４と対応する位置のバックシート１３上に端子ボックス５がそれぞれ設けられている。そして、バスバー配線１４から延びる集配線１５が端子ボックス５を介して出力取出し用の外部ケーブルと電気的に接続されている。端子ボックス５内部及び端子ボックス５とバックシート１３との取付け界面は必要に応じて絶縁のためシーリング処理されている。ここでは、正負両極となる２つのバスバー配線１４と接続された集配線１５を介して単極の端子ボックス５に配線する形態としているが、正負両極を一つ端子ボックスで形成することもできる。ここで、端子ボックス５はバックシート１３にシリコン系接着剤を用いて固定されている。
【００２１】
図４は太陽電池パネルにフレームを取り付ける様子を示す斜視図である。図５は太陽電池モジュールの内部構造を示す図２のＥ−Ｅ線に沿う矢視断面図である。太陽電池パネル１は、概略長方形平板状を成し、２つの短辺Ａ，Ｃと、２つの長辺Ｂ，Ｄを有している。太陽電池パネル１の四辺周縁部を囲むフレーム２は、アルミ板材から作製され、太陽電池パネル１の四辺Ａ，Ｂ，Ｃ，Ｄ分の長さを有する長尺部材が、太陽電池パネル１の四辺に合わせて折り曲げられて作製されている。
【００２２】
そして、フレーム２は、太陽電池パネル１の四辺Ａ，Ｂ，Ｃ，Ｄに対応する部分である第１フレーム部２Ａ，第２フレーム部２Ｂ、第３フレーム部２Ｃ，第４フレーム部２Ｄを有しており、各フレーム部は、それぞれ断面コ字状を成し、それぞれ太陽電池パネル１の外周側面と対向する本体枠２ａ、その本体枠２ａの前面端から内方に延びて太陽電池パネル１の前面と対向する前面枠２ｂ、及び本体枠２ａの裏面端から内方に延びて太陽電池パネル１の裏面と対向する裏面枠２ｃから構成されている。本体枠２ａ、前面枠２ｂ及び裏面枠２ｃは、太陽電池パネル１の周縁部を囲繞する囲繞部を構成している。各フレーム部２Ａ，２Ｂ，２Ｃ，２Ｄの長さは、折り曲げ時のクリアランスを考慮して、対応する太陽電池パネル１の四辺Ａ，Ｂ，Ｃ，Ｄの長さより、数ｍｍだけ大きい長さとなっている。
【００２３】
そして、隣接するフレーム部の本体枠２ａ間には、折り曲げ易いように折り曲げ線に重ねて第１の折り曲げ溝１６ｂが彫刻されている。また、隣り合うフレーム部の前面枠２ｂ間及び裏面枠２ｃ間には、直角に折り曲げた際、前面枠２ｂどうし或いは裏面枠２ｃどうしが重なったり、すき間が空いたりすることがないように、９０度の切り欠きであるコーナー部切り欠き１６ａが形成されている。このような構成のフレーム２は、第１の折り曲げ溝１６ｂの位置で折り曲げられて太陽電池パネル１の周囲に配置され、１つのコーナー部にて、突き合わせた端部どうしをネジ止めもしくは嵌め合せなどにより機械的に連結される。
【００２４】
このように配置されたフレーム２は、囲繞部内にて本体枠２ａと太陽電池パネル１の外周側面との間に挟まれて配置された接着層６にて太陽電池パネル１の周縁部に固着されている。つまり、フレーム２は、囲繞部内にて本体枠２ａと太陽電池パネル１との間に挟まれた接着層６にて太陽電池パネル１の周縁部に固着されている。この接着層６に関しては、フレーム２や太陽電池パネル１を保持する構造強度的機能は不要であるが、搬送や設営時の太陽電池パネル１の端面保護と長期的信頼性を確保する必要があるために、弾性と低透湿性を有する材料を用いる。その材料として、例えば、発泡樹脂のような緩衝材、ＰＥＴとアルミ箔を積層した防湿材とアクリル系接着剤を積層した両面テープ状の材料を用いると水貼り（両面テープ状接着剤の表面に水を塗布してフレーム２内に配置し、水を潤滑剤として太陽電池パネル１をフレーム２内に滑り込ませ、その後、水を蒸発させて接着剤の粘着性を復活させて固着する）等の手法によりフレーム２と太陽電池パネル１とを容易に接着することができ組立作業性も向上する。このように接着層（両面テープ状接着剤）６を用いて太陽電池パネル１の外縁部とフレーム２とを接続するが、太陽電池パネル１と前面枠２ｂとの間、及び太陽電池パネル１と裏面枠２ｃとの間にそれぞれ隙間が生じるので、シール剤７をその隙間に注入している。
【００２５】
図６は太陽電池パネルの裏面に設けられたパネル支持構造を示す部分断面図である。
上記のように、フレーム２は、太陽電池パネル１の四辺周縁部を保護する保護部材としての機能のみを有している。そして、太陽電池パネル１の荷重を支えるパネル支持構造が、フレーム２とは別に太陽電池パネル１の裏面に設けられている。このパネル支持構造は、太陽電池パネル１の裏面にて第１の方向（図１，図２のＹ軸方向）に太陽電池パネル１のほぼ全長にわたって延在し、第１の方向と直交する第２の方向（図１，図２のＸ軸方向）に所定の間隔を空けて併設された複数本のリブ３で構成されている。リブ３は、太陽電池パネル１を支持するとともに、太陽電池パネル１を架台（図示しない）に固定する。
【００２６】
リブ３は、アルミ板材を折り曲げて作製され、太陽電池パネル１を安定して架台上に支持し、また太陽電池パネル１の荷重を支える所定の剛性を持たせる為に断面クランク形状に成形されている。なお、断面形状に関しては、クランク形状でなくとも、少なくともコ字状となる部分を含むものであれば、太陽電池パネル１を介して作用する剪断荷重及び曲げ荷重に対して所定の剛性を持たせることができる。このような構造を持つリブ３は、断面クランク形状の中央部に形成された平面部を太陽電池パネル１の裏面に押し当てるようにして、当該平面部と太陽電池パネル１との間に挟まれたエポキシ系、シリコン系やブチル系の構造用接着剤８により太陽電池パネル１に固着されている。なお、リブ３をバックシート１３に固定する際、位置決めと初期固定用にアクリル系構造用両面テープを使用してもよい。
【００２７】
本実施の形態によれば、フレーム２が、太陽電池パネル１の四辺分の長さを有する長尺部材を太陽電池パネル１の四辺に合わせて折り曲げて作製されているので、フレームの連結箇所が従来の４箇所から１箇所に削減される。これにより、ネジ止め作業量の軽減化、及び組み付け時の位置合せ作業の軽減化が図られ、組み立て作業を簡素化することができる。
【００２８】
また、本実施の形態によれば、フレーム２は、太陽電池パネル１の四辺周縁部を保護する保護部材として機能し、太陽電池パネル１の荷重を支えるパネル支持構造としてリブ３が太陽電池パネル１の裏面に設けられている。裏面に配置したパネル支持構造で太陽電池パネル１の荷重を支えることで、太陽電池パネル１の四辺周縁部を囲むフレーム２に積雪時の荷重や風圧が作用することがなく、このためフレーム２が強固なものである必要がなくなり、フレーム２を狭小なものとすることができる。これにより、太陽電池セルの受光面を遮蔽する部分を減少させて高効率化を図ることができる。また、フレーム２を一体構造とすることができたので、取付け位置精度が向上して組み付け作業を効率化できる。
【００２９】
さらに、本実施の形態によれば、フレーム２は、太陽電池パネル１の周縁部を囲繞する断面コ字状の囲繞部を有しており、フレーム２は、囲繞部内にて本体枠２ａと太陽電池パネル１との間に挟まれた接着層６にて太陽電池パネル１の周縁部に固着されているので、フレーム２と太陽電池パネル１とを水貼りすることが可能で、ホットメルト樹脂を使用する際に必要な加熱装置なども不要とすることができ、フレーム２を容易に組み付けられるので組み立て作業を簡素化することができる。
【００３０】
さらにまた、本実施の形態によれば、上記パネル支持構造は、太陽電池パネル１の裏面にて第１の方向に太陽電池パネル１のほぼ全長にわたって延在し、第１の方向と直交する第２の方向に所定の間隔を空けて併設された複数本のリブ３である。パネル支持構造を、太陽電池パネル１の裏面にて第１の方向に延びる複数本のリブで構成することにより、太陽電池パネル１の荷重を支えるパネル支持構造を確実にかつ容易に実現することができる。
【００３１】
さらにまた、本実施の形態によれば、リブ３は、断面形状において、少なくともコ字状となる部分を有しているので、太陽電池パネル１の荷重を支える所定の剛性を簡素な構造で実現することができ、低コスト化を図ることができる。さらに、フレーム２及びリブ３は、板金が折り曲げられて作製されているので、作製が容易で更なる低コスト化を図ることができる。
【００３２】
なお、本実施の形態の太陽電池パネル１は、概略長方形平板状を成すが、もちろん正方形平板状であってもよい。
【００３３】
実施の形態２．
図７は本発明の実施の形態２に係る太陽電池モジュールの内部構造を示す図２のＥ−Ｅ線に沿う矢視断面図である。上記実施の形態１においては、接着層６は、太陽電池パネル１と本体枠２ａとの間に設けられていたが、本実施の形態の接着層６Ｂは、実施の形態１のものに加えて、太陽電池パネル１と裏面枠２ｃとの間にも設けられている。つまり、接着層６Ｂは、裏面枠２ｃとバックシート１３との間にも配置されている。その他の構成は実施の形態１と同様である。
【００３４】
本実施の形態によれば、フレーム２は、囲繞部内にて本体枠２ａと太陽電池パネル１との間及び裏面枠２ｃと太陽電池パネル１との間に挟まれた接着層６Ｂにて太陽電池パネル１の周縁部に固着されているので、フレーム２と太陽電池パネル１とが容易に組み付けられ組み立て作業を簡素化するとともに、太陽電池パネル１にフレーム２を強固に固着することができる。
【００３５】
さらには、接着層６が配置されている部分の長さを、対応するフレーム部の長さより小さくし、フレーム２のコーナー部において、接着層６Ｂが配置されていた部分に接着層６Ｂに換えてシール剤７を充填するようにしてもよい。このような構成とすることにより、特に異物の進入が懸念されるコーナー部において、機密性を向上させることができる。なお、この実施の形態１のフレーム構造に適用されてもよい。
【００３６】
実施の形態３．
図８は本発明の実施の形態３に係る太陽電池モジュールのフレームの製作工程を示す図である。図中（ａ）は原材料板１６Ａ、（ｂ）は切削加工によりコーナー部切り欠き１６ａが形成した第１中間部材１６Ｂ、（ｃ）は折り曲げ溝１６ｂ、１６ｃを彫刻した第２中間部材１６Ｃを示す。原材料板１６Ａは、建材等屋外で一般的に用いられている厚み１ｍｍのアルミ板である。原材料板１６Ａは、太陽電池パネル１の四辺の長さに各辺５ｍｍのクリアランス（つまり４×５ｍｍ）を加えた長さである。
【００３７】
原材料板１６Ａは、太陽電池パネル１の四辺に対応する４つの部分に分割され、隣接する分割部の境界の両側部に切削加工にて９０度の切り欠きであるコーナー部切り欠き１６ａが形成されて第１中間部材１６Ｂとなる。コーナー部切り欠き１６ａは、上記のように、直角に折り曲げた際に、前面枠となる部分どうし或いは裏面枠となる部分どうしが重なったり、すき間が空いたりすることがなく突き合わされるためである。このように作製された第１中間部材１６Ｂに対して、折り曲げを容易とするために折り曲げ線に重ねて第１の折り曲げ溝１６ｂ及び第２の折り曲げ溝１６ｃが彫刻されて第２中間部材１６Ｃとなる。さらにこのように作製された第２中間部材１６Ｃが、第１の折り曲げ溝１６ｂに沿って谷折りに折り曲げられて、図２に示すフレーム２となる。
【００３８】
本実施の形態においては、上記のようにフレーム２をアルミ板材を折り曲げて作製したが、ダイス（金型）を用いて押し出し加工により断面コ字状の棒状部材を作製し、隣接する分割部の境界部分の対向面にコーナー部切り欠きを加工することで形成してもよい。また、材料はアルミに限らず、長期に渡って室外の環境に耐えうる耐候性のある材質であれば、金属材料に限らず高分子材料でも良い。高分子材料を用いる場合には、例えば射出成型にて最終形態の断面コ字状の矩形フレームに成形することも可能である。このように、フレームは、太陽電池パネルの四辺分のフレーム部をモールド成型により一体に連結して作製してもよい。フレームをモールド成型により一体に連結して作製することで、上記アルミ板材より作製した場合と概略同様の効果を得られる他、材料として高分子材料を用いるので太陽電池モジュールの軽量化を図ることもできる。なおこのとき、フレームのコーナー部に直角に曲がる金属片を埋め込むことで太陽電池パネルへ組み込んだ後の形状維持、補強効果を付与することもできる。
【産業上の利用可能性】
【００３９】
この発明に係る太陽電池モジュールは、複数の太陽電池セルが併設された太陽電池パネルと、この太陽電池パネルの四辺周縁部を囲むフレームとを備えた太陽電池モジュールに適用されて好適なものである。
【図面の簡単な説明】
【００４０】
【図１】本発明の実施の形態１に係る太陽電池モジュールの受光面側からみた斜視図である。
【図２】本発明の実施の形態１に係る太陽電池モジュールの裏面側からみた斜視図である。
【図３】太陽電池パネルの積層構造を説明するための分解斜視図である。
【図４】太陽電池パネルにフレームを取り付ける様子を示す斜視図である。
【図５】太陽電池モジュールの内部構造を示す図２のＥ−Ｅ線に沿う矢視断面図である。
【図６】太陽電池パネルの裏面に設けられたパネル支持構造を示す部分断面図である。
【図７】本発明の実施の形態２に係る太陽電池モジュールの内部構造を示す図２のＥ−Ｅ線に沿う矢視断面図である。
【図８】本発明の実施の形態３に係る太陽電池モジュールのフレームの製作工程を示す図である。
【符号の説明】
【００４１】
１  太陽電池パネル
２  フレーム
２Ａ  第１フレーム部
２Ｂ  第２フレーム部
２Ｃ  第３フレーム部
２Ｄ  第４フレーム部
２ａ  本体枠
２ｂ  前面枠
２ｃ  裏面枠
３  リブ（パネル支持構造）
５  端子ボックス
６，６Ｂ  接着層（両面テープ状接着剤）
７  シール剤
８  構造用接着剤
１１  透光性基板
１２  粘着層
１３  バックシート
１４  バスバー配線
１５  集配線
１６Ａ  原材料板
１６Ｂ  第１中間部材
１６Ｃ  第２中間部材
１６ａ  コーナー部切り欠き
１６ｂ  第１の折り曲げ溝
１６ｃ  第２の折り曲げ溝
１００  太陽電池モジュール
【図１】
2010165750.tif 000003
【図２】
2010165750.tif 000004
【図３】
2010165750.tif 000005
【図４】
2010165750.tif 000006
【図５】
2010165750.tif 000007
【図６】
2010165750.tif 000008
【図７】
2010165750.tif 000009
【図８】
2010165750.tif 000010